(57)【特許請求の範囲】
【請求項１】
ベルトと、
前記ベルトをその一端側から巻き取り又は引き出し可能なリールと、
前記リールを回転可能に支えるリール支持部材とを有するリール部材と、
及びバックに設けられた連結部に連結するために、前記リール支持部材に取り付けられた連結部材とを一組として、二組を備え、
前記二組を各ベルトの他端側で連結し、且つ二つの前記リール部材間の前記各ベルトの長さを調整するための長さ調整機構と、
を備え、
前記長さ調整機構は、
前記ベルトの厚さの複数倍の厚さを持つ外枠体と、
前記外枠体の対向する辺に、各ベルトが前記他端側から通過可能な大きさに設けられたベルト引出口と、
前記外枠体より狭い幅の矩形状を成し、前記外枠体によりその内側に並列に回転可能に支持されて、前記他端側から各ベルトを巻き取り又は巻き戻し可能な二つの駒と、
を備え、
前記二つの駒の回転により、前記各ベルトの長さを調整する、
こと特徴とするショルダーベルト。
【請求項２】
前記二つの駒の間で前記外枠体に、前記二つの駒の回転を防止するベルト留具、
を備えた、
ことを特徴とする請求項１に記載のショルダーベルト。
【請求項３】
ショルダーベルトを取り付けるための連結部を上面又は側面の二箇所に設けたバックにおいて、
前記ショルダーベルトは、
ベルトと、
前記ベルトをその一端側から巻き取り又は引き出し可能なリールと、
前記リールを回転可能に支えるリール支持部材とを有するリール部材と、
及び前記連結部に連結するために、前記リール支持部材に取り付けられた連結部材とを一組として、二組を備え、
前記二組を各ベルトの他端側で連結し、且つ二つの前記リール部材間の前記各ベルトの長さを調整するための長さ調整機構と、
を備え、
前記長さ調整機構は、
前記ベルトの厚さの複数倍の厚さを持つ外枠体と、
前記外枠体の対向する辺に、各ベルトが前記他端側から通過可能な大きさに設けられたベルト引出口と、
前記外枠体より狭い幅の矩形状を成し、前記外枠体によりその内側に並列に回転可能に支持されて、前記他端側から各ベルトを巻き取り又は巻き戻し可能な二つの駒と、
を備え、
前記二つの駒の回転により、前記各ベルトの長さを調整する、
ことを特徴とするバック。
【発明の詳細な説明】
【技術分野】
【０００１】
本発明は、容易に着脱可能で、ベルトの長さ調整が簡易で、不使用時には収納可能なショルダーベルト及びそれを用いたバックに関するものである。
【背景技術】
【０００２】
従来、必要とされる大きさや用途などに応じて、各種様々な大きさ、形状、及び機能を有する鞄類が提供されている。この鞄類の具体例は、肩掛け鞄、スーツケース、パーティーバック、手提げ鞄、リュックサックなど（以下、バックと称する。）があり、これらの中には収容する物品の重さや大きさなどとの兼ね合いや、使用時の利便性或いは服装との調和などを考慮して、把手やベルトなどの提げ紐を有するものもある。
【０００３】
例えば、図７に示すようなバックがある。これは、バックとして利用する際に肩掛け用ベルト４をバック本体１内に適宜収納可能で、肩掛け用ベルト４の収納作業も容易に、且つ速やかに行うことができる構造のバック用肩掛け兼用把手、及びそれを有するバックである（特許文献１）。
【０００４】
バック本体１は、所定剛性を確保することによってバック本体１の筐体状外郭形状をなす短筒状枠部１１、及び短筒状枠部１１の表裏開口部に、比較的軟質な素材からなり、下側縁部だけが一体に連続し、他の三辺をファスナーによって開閉可能に形成した開閉蓋部１２，１３を設けたものである。短筒状枠部１１の上面中央には、把手部２の両端を装着するのに適する所定間隔を隔てた位置のそれぞれに、把手部用連結金具３，３を設けてあり、把手部用連結金具３は、短筒状枠部１１の上側面に貫通状に立設した縦断面Ｔ字型の金具であり、基部を短筒状枠部１１内側面に固着された補強板に一体に結合したものとなっている。
【０００５】
把手部２の両端に設けた仮固定片部２１，２１の何れか一方には、バック本体１の表側に開口する平面Ｕ字型の嵌着溝部２２を形成し、何れか他方には、バック本体１裏側に開口する平面Ｕ字型の嵌着溝部２２を形成したものとなっており、それぞれの嵌着溝部２２，２２を、縦断面Ｔ字型の把手部用連結金具３，３に側方から嵌着可能に構成している。バック本体１の短筒状枠部１１の上面における左右壁面付近には、肩掛け用ベルト４，４の中途部を挿通するスリット状の開口部１４，１４が形成され、肩掛け用ベルト４，４それぞれの一端を、バック本体１内に設けられた巻取機構５，５に連結する一方、他端を把手部２の仮固定片部２１，２１のそれぞれに連結したものとなっている。
【０００６】
巻取機構５は、帯形状の肩掛け用ベルト４の一端を、短筒状枠部１１内下側隅に回転自在に軸着した水平状の巻取軸部に連結すると共に巻き付け、前記巻取軸部に対して同心状に巻き付き、巻き取り側に付勢する渦巻バネを設けた上、巻取軸部との間に巻き付けられた肩掛け用ベルト４を挟み込むように接合可能に構成された仮固定具部を設け、前記仮固定具部を巻き付けられた肩掛け用ベルト４側に向けて付勢するコイルバネ、および短筒状枠部１１外側に突出して前記コイルバネを圧縮する方向に押圧操作可能とする仮固定解除ボタン５５を有するものとなっている。
【０００７】
図７に示されるバックは、把手部２を図中矢印方向に順次操作すると、把手部２両端に形成された仮固定片部２１，２１の平面Ｕ字型に形成した嵌着溝部２２，２２が、それぞれ縦断面Ｔ字型の把手部用連結金具３，３に側方から嵌着し、把手部２がバック本体１と一体化するものとなる。また、矢印とは逆向きに順次操作すれば、嵌着溝部２２，２２が、図７のように把手部用連結金具３，３から離脱し、バック本体１から離れて肩掛け可能な状態となる。
【０００８】
【特許文献１】特開２００１−１１６４２８公報
【０００９】
しかし、前記肩掛け用ベルトは前記バック本体と一体型の構造であるので、取り外して単独で使用することは、構造上不可能である。また、前記肩掛け用ベルトは前記バックと一体型の構造であることから、前記肩掛け用ベルトのみを単体として製造する場合より製造コストがかかってしまう。
【００１０】
その不具合を解消するためには、前記肩掛け用ベルトが前記バックと一体型の構造ではなく、前記肩掛け用ベルトを単独で使用できることが望ましい。しかし現状では、前記肩掛け用ベルト（以下、ショルダーベルトとする。）は前記バックに付属しており、特許文献１にあるような、収納が可能で作業性に優れるという機能を有するショルダーベルトを単独で購入することは困難である。
【発明の開示】
【発明が解決しようとする課題】
【００１１】
そこで本発明は、容易に着脱可能で、ベルトの長さ調整が簡易で、不使用時には収納可能なショルダーベルト（ショルダーストラップとも称される。）及びそれを用いたバックを提供することを目的とする。
【課題を解決するための手段】
【００１２】
上記課題を解決するための本発明は、ベルトと、前記ベルトをその一端側から巻き取り又は引き出し可能なリールと、前記リールを回転可能に支えるリール支持部材とを有するリール部材と、及びバックに設けられた連結部に連結するために、前記リール支持部材に取り付けられた連結部材とを一組として二組を備え、前記二組を各ベルトの他端側で連結し、且つ二つの前記リール部材間の、前記各ベルトの長さを調整するための長さ調整機構とを備え、前記長さ調整機構は、前記ベルトの厚さの複数倍の厚さを持つ外枠体と、前記外枠体の対向する辺に、各ベルトが前記他端側から通過可能な大きさに設けられたベルト引出口と、前記外枠体より狭い幅の矩形状を成し、前記外枠体によりその内側に並列に回転可能に支持されて、前記他端側から各ベルトを巻き取り又は巻き戻し可能な二つの駒とを備え、前記二つの駒の回転により、前記各ベルトの長さを調整するショルダーベルトである。
【００１５】
また、上記以外の別の発明は、前記ショルダーベルトを取り付けるための連結部を、上面又は側面の二箇所に設けたバックである。これは、ベルトと、前記ベルトをその一端側から巻き取り又は引き出し可能なリールと、前記リールを回転可能に支えるリール支持部材とを有するリール部材と、及び前記連結部に連結するために、前記リール支持部材に取り付けられた連結部材とを一組として二組を備え、前記二組を各ベルトの他端側で連結し、且つ二つの前記リール部材間の前記各ベルトの長さを調整するための長さ調整機構とを備え、前記長さ調整機構は、前記ベルトの厚さの複数倍の厚さを持つ外枠体と、前記外枠体の対向する辺に、各ベルトが前記他端側から通過可能な大きさに設けられたベルト引出口と、前記外枠体より狭い幅の矩形状を成し、前記外枠体によりその内側に並列に回転可能に支持されて、前記他端側から各ベルトを巻き取り又は巻き戻し可能な二つの駒とを備え、前記二つの駒の回転により、前記各ベルトの長さを調整するショルダーベルトを設置したバックである。
【００１６】
前記ベルトは、前記ショルダーベルトが使用されるカバンの用途や機能に応じて、その材質や強度等が適宜選択される。例えばバックに収容される荷物が十分に重いものである場合には、それを支え持つことのできる強度、即ち長さ方向における十分な引っ張り強度が必要であり、例えばナイロン６やナイロン６，６等のポリアミド系繊維、ポリエステル系繊維、ポリエチレン系繊維、アクリル系繊維など各種の合成繊維を使用することができる。また引っ張り強度を向上させるために、ガラス繊維等の無機充填材を配合することもできる。また、前記ショルダーベルトに要求される耐荷重がそれ程大きくない場合には、引っ張り強度にとらわれることなく、他の繊維や皮革等を用いて形成することもできる。
【００１７】
また、本発明で使用されるベルトは、前記リール内に巻き取ることができる形状でなければならない。従って前記ベルトは、帯状に形成されていることが望ましい。更に、前記ベルトは、引っ張り強度の要請の有無を問わず、意匠上の効果を考慮して形成される事が望ましい。
【００１８】
例えば、前記ベルトを用いずに既存の把手を使用する際は、余剰となった前記ベルトを前記リールに巻き取っておくことが望ましい。その為には、前記リール部材内に、弾性によって駆動する前記ベルトの巻取り機構を設けることが必要である。前記ベルトの引き出し操作によって蓄積された弾性エネルギーで、余剰な前記ベルトを前記リール内に巻き取ることができる。
【００１９】
本発明では、ベルトのリール内への巻き取り又は引き出しは自由なものとしておく。即ち、前記ベルトの前記リール内への巻き取り又は引き出しを自由にしておけば、例えば、前記ベルトを引き出す場合には、前記ベルトを掴んで持ち上げ、また、前記ベルトを巻き取る場合には、掴んでいた前記ベルトを離すことにより、直ちに前記ベルトを前記リール内に巻き取ることのできるショルダーベルトが実現する。
【００２０】
また、リール部材は、前記ベルトと同様に、前記ショルダーベルトが使用されるバックに収容される荷物の重量を考慮して形成される必要がある。即ち、この前記リール部材もバック内の荷物を支え持つ為に十分な強度を有する必要があることから、それを形成する材質（金属やプラスチックなど）や構造は適宜選択、設計されなければならない。尚、前記リール部材の外面には、装飾性を向上させる等の観点から、ブランド名やロゴマーク或いはその他の図形など、適宜意匠を施すこともできる。
【００２１】
前記ショルダーベルトをバックに対して容易に連結できるものとする為には、前記バックの連結部に対して着脱自在に連結し得る連結部材を設けることが望ましい。前記連結部材は前記リール部材に設けることができる。
【発明の効果】
【００２２】
本発明によれば、ベルトと、リール部材間の前記ベルトの一端側からベルトを巻き取り又は引き出し可能なリールと、他端側からベルトを巻き取り又は巻き戻し可能な駒とを一組として二組備えたことにより、前記ベルトを所望の長さに簡易に調整できる。また、前記リール部材に例えば茄子環などの連結部材を設けたことにより、例えばバックに設けられたリング状又はＤ型の連結部などと着脱自在に連結することができる。
【００２３】
従って、本発明のショルダーベルトを用いることにより、前記リール部材を用いて前記ベルトを巻き取り又は引き出し、前記駒を用いて前記ベルトを巻き取り又は巻き戻しによって前記ベルトを所望の長さに調整できるので、例えば、肩に掛けて使用することが可能となる。
【００２４】
また、前記ショルダーベルトをバックの連結部から取り外せば、前記バック内の余剰空間やポケットなどに収納したりすることが可能となる。更に、前記ショルダーベルトを単独の商品として取り扱うことも、前記バックに付属させた商品として取り扱うこともできるので、客先の要望や市場動向に合わせて販売数やその形態を計画することができる。
【発明を実施するための最良の形態】
【００２５】
以下、本発明に係るショルダーベルトの実施の形態について、図１、図２を参照して説明する。図１は、本発明の実施形態であり、ショルダーベルトの構成を示す斜視図である。図２は、図１の実施形態であり、ショルダーベルトの長さ調整動作を説明するための部分拡大図である。
【００２６】
先ず、本発明に係るショルダーベルトの構成について説明する。図１に示すように、ショルダーベルト１００は、ベルト１１０，１１０と、各ベルト１１０をその一端側から巻き取り又は引き出し可能なリール１２１，１２１と、各リール１２１のリール回転軸材１２２，１２２を軸として回転可能に支えるリール支持部材１２３，１２３とを有するリール部材１２０，１２０と、及びバックに設けられた連結部に連結するために、各リール支持部材１２３に取り付けられた連結部材１３０，１３０とを一組として二組を備え、前記二組を各ベルト１１０の他端側で連結し、且つ二つのリール部材１２０間の各ベルト１１０の長さを調整するための長さ調整機構１４０とを備えている。
【００２７】
長さ調整機構１４０は、ベルト１１０の厚さの複数倍の厚さを持つ外枠体１４１と、外枠体１４１の対向する辺に各ベルト１１０が前記他端側から通過可能な大きさに設けられたベルト引出口１４２，１４２と、外枠体１４１より狭い幅（図１でベルト１１０に直交する方向の寸法。）の矩形状を成し、外枠体１４１によりその内側に並列に回転可能に支持されて、前記他端側から各ベルト１１０を巻き取り又は巻き戻し可能な二つの駒１４３，１４３とを備えている。このとき、各ベルト１１０は二つの駒１４３，１４３に接着又は縫着することにより設置されている。
【００２８】
尚、外枠体１４１の厚さをベルト１１０の厚さの複数倍にしたのは、二つの駒１４３の回転により各ベルト１１０が巻き取られたとき、その巻き取られたベルト１１０の厚さが外枠体１４１の厚さより大きく超えないようにするためである。
【００２９】
次に、本発明に係るショルダーベルトのベルト長さ調整動作について、図１，２を用いて説明する。尚、図２は図１の長一点鎖線で四角く囲った部分の拡大図である。前記ショルダーベルトは、図１に示す二つのリール１２１及び各駒１４３を備えている。各リール１２１は、各ベルト１１０を全て巻き取り又は引き出しが可能である。また、各駒１４３は、回転によって各ベルト１１０を巻き取り又は巻き戻して、各ベルト１１０の長さを調整することができる。
【００３０】
各リール１２１の回転は、従来公知の物品や構造を用いて実施することができる。例えば、つる巻バネやゴムを用いて、これらの弾性によって各リール１２１が回転して各ベルト１１０を巻き取ることができる。また、反対に各ベルト１１０を全て引き出して、各駒１４３を用いて巻き取り又は巻き戻しすることで、任意の各ベルト１１０長さに調整することができる。係る構造は巻き尺等に於いても多用されていることから、ここでは詳細な説明を省略する。
【００３１】
各駒１４３を用いたベルト１１０の長さの調整について、図２を用いて説明する。図２に示すように、各リール１２１から各ベルト引出口１４２を通った各ベルト１１０を、仮想線Ａ−Ａ′を軸として、各駒１４３の回転によって巻き取り又は巻き戻して、長さを調整することができる。仮想線Ｂ−Ｂ′と平行な各駒１４３の巻き取り幅を、例えば５cmにすることによって、各リール部材１２０間の各ベルト１１０の長さの微調整を行うことができる。勿論、各ベルト１１０のうちのどちらか一方のみの長さを調整するだけでもよい。
【００３２】
各ベルト１１０の長さ調整終了後には、長さ調整機構１４０で調整した各ベルト１１０の長さを固定するために、図１に示すような、長さ調整機構１４０を覆うように開閉自在の肩当て２３０を設置し、例えば面状ファスナーのような肩当て固定部材２３１で長さ調整機構１４０を固定してもよい。
【００３３】
各ベルト１１０を含む長さ調整機構１４０は、その表裏面側から肩当て２３０で挟まれることで、各駒１４３が回転することなく固定される。身体などと接触しても調整した各ベルト１１０の長さを変えずに、また、長さ調整機構１４０との直接接触によって身体を痛めることなく、各ベルト１１０の所望の長さを固定した状態を維持したまま、ショルダーベルト１００を使用することが出来る。
【００３４】
次に、本発明に係るショルダーベルトの他の実施形態について、図３、図４、図５（ａ），（ｂ）、図６を用いて説明する。図３は、本発明の他の実施形態であり、ショルダーベルトの構成を示す正面概略図である。図４は、図３の実施形態のショルダーベルトの長さ調整動作を説明するための正面概略図である。図５（ａ）は、本発明の更に他の実施形態であり、ショルダーベルトの構成を示す正面概略図である。図５（ｂ）は、図５（ａ）の実施形態でのショルダーベルトの長さ調整動作を説明する部分拡大図である。図６は、本発明の他の実施形態であり、ショルダーベルトを備えたバックの構成を示す側面概略図である。
【００３５】
第二実施形態として、各ベルトの長さを長さ調整機構で調整した状態を固定できるショルダーベルトを挙げる。図３に示すように、ショルダーベルト１００は、上記で説明した構成に加えて、二つの駒１４３の回転を防止するために、外枠体１４１の中央部の二つの駒１４３の間に設置されたベルト留具１５０を備えることにより、各ベルト１１０の所望の長さを固定できるようになっている。
【００３６】
各巻き取り駒１４３の回転によって各ベルト１１０を巻き取って所望の長さに調整した後、ベルト留具回転軸材１５１を中心としてベルト留具１５０を仮想線Ｃ−Ｃ′に直交する軸を中心に９０°回転させ、図４に示した状態にする。これによって、各ベルト１１０の長さを調整した状態を、長さ調整機構１４０によって固定することが出来る。
【００３７】
第三実施形態として、上記した長さ調整機構の構成とは異なる長さ調整機構を備えたショルダーベルトの例を挙げる。図５（ａ）に示すように、ショルダーベルト１００は、各ベルト１１０の他端側をそれぞれベルト挿入孔１６２に通して折り返すことによって、ベルト１１０同士を連結させるリング部材１６１と、リング部材１６１と各リール部材１２０間の各ベルト１１０毎に、折り返された各ベルト１１０の他端側を各バックル体１６４の各ベルト留金１６５で固定すると共に、各ベルト１１０を各バックル体１６４の二つのベルト通過孔１６３を異なった方向（図５（ｂ）の紙面上では、一方は下側から通し、もう他方は上側からから返す。）から返した長さ調整機構１４０を備えている。
【００３８】
図５（ｂ）に示すように、前記各他端が固定された二つのバックル体１６４と、各バックル体１６４の各ベルト通過孔１６３に通す各ベルト１１０の位置が変更されることにより、各ベルト１１０の長さを調整可能にしている。また、長さ調整機構１４０は、図１で示したような肩当て２３０を用いることも出来る。尚、図５（ｂ）は図５（ａ）に示した長一点鎖線で囲った部分を側面から見て拡大した図である。
【００３９】
第四実施形態として、本発明に係るショルダーベルトと、前記ショルダーベルトを取り付けるための連結部を側面の二箇所に設けたバックを挙げる。図６に示すように、これは、本発明に係るショルダーベルト１００をバック２００の連結部２１０，２１０（何れも例えば環状のフック。）に連結するために、リール支持部材１２３に取り付けられた連結部材１３０とを一組として、二組備えたバック２００である。
【００４０】
この連結部２１０，２１０は既存のものであり、ショルダーベルト１００の連結部材１３０，１３０は、この連結部２１０，２１０と接続可能であればその形状は特に問わない。例えば、茄子環のようなベルト連結環を用いてもよい。茄子環は様々な形状や大きさのものが市販されており、設置対象となるバックの大きさや、使用者の身長などによって形状や大きさを変えることが可能である。
【００４１】
また、このショルダーベルト１００を使用するときには、Ｄの状態のように、肩当て２３０部分を肩に当てて使用したり、又はＤ′の状態のように、ベルト１１０，１１０の余剰分を収容してバック２００の上部に設置し、把手２２０を使用してもよい。このとき、ショルダーベルト１００はバック２００を既存の把手２２０を用いて持ち運ぶときに邪魔にならないようになっている。尚、把手２２０はバック２００の付属品である。
【００４２】
以上のことから、本発明に係るショルダーベルトは、連結部を設けたバックであれば連結可能な連結部材を備え、また、リール部材や長さ調整機構を備えているので、容易に着脱自在に取り付けることができ、長さの調整が簡易である。また、ベルトの長さを最短にすれば、バック内の余剰空間に収納したりすることなども可能となり、単独商品又はショルダーベルト付バックとして販売可能である。従って、非常に有用なものである。
【図面の簡単な説明】
【００４３】
【図１】本発明の実施形態であり、ショルダーベルトの構成を示す斜視図である。
【図２】図１のショルダーベルトの長さ調整動作を説明するための部分拡大図である。
【図３】本発明の他の実施形態であり、ショルダーベルトの構成を示す正面概略図である。
【図４】図３のショルダーベルトの長さ調整動作を説明するための正面概略図である。
【図５】（ａ）は本発明の他の実施形態であり、ショルダーベルトの構成を示す正面概略図である。（ｂ）は本発明の他の実施形態であり、ショルダーベルトの長さ調整動作を示す部分拡大図である。
【図６】本発明の他の実施形態であり、ショルダーベルトを備えたバックの構成を示す側面概略図である。
【図７】従来の肩掛け用ベルトを引き出した状態を示すバックの斜視図である。
【符号の説明】
【００４４】
１００  ショルダーベルト
１１０  ベルト
１２０  リール部材
１２１  リール
１２２  リール回転軸材
１２３  リール支持部材
１３０  連結部材
１４０  長さ調整機構
１４１  外枠体
１４２  ベルト引出口
１４３  駒
１５０  ベルト留具
１５１  ベルト留具回転軸材
１６１  リング部材
１６２  ベルト挿入孔
１６３  ベルト通過孔
１６４  バックル体
１６５  ベルト留金
２００  バック
２１０  連結部
２２０  把手
２３０  肩当て
２３１  肩当て固定部材
【図１】
0004438005.tif 000002
【図２】
0004438005.tif 000003
【図３】
0004438005.tif 000004
【図４】
0004438005.tif 000005
【図５】
0004438005.tif 000006
【図６】
0004438005.tif 000007
【図７】
0004438005.tif 000008